(57)【要約】【課題】ディスクの記録面を保護しつつ、薄型化が図られたディスク再生装置を提供することを目的とする。【解決手段】ディスク再生装置１０に、ディスクＤが回転している稼動モード時には、ディスクＤの面振れ領域外に位置し、保護モード時には、ディスクＤの非記録面とディスク再生装置１０の機構部４１との間に位置する保護モードディスク受け部９１を備える。【選択図】図９
2007250152.tif 000002
【特許請求の範囲】
【請求項１】
ディスク再生装置において、
稼動モード時には、ディスクの面振れ領域の外側に位置し、
保護モード時には、上記ディスクの非記録面と上記ディスク再生装置の機構部との間に位置する保護モードディスク受け部を備えることを特徴とするディスク再生装置。
【請求項２】
前記ディスクの面振れ領域の外側は、前記ディスクの外周の外側であることを特徴とする請求項１に記載のディスク再生装置。
【請求項３】
前記保護モードディスク受け部は、前記ディスクに対して略半径方向の両側に備えられることを特徴とする請求項１または請求項２のいずれか１項に記載のディスク再生装置。
【請求項４】
前記保護モードディスク受け部は、稼動モード時と保護モード時とに対応して変位する作動部材に設けられていることを特徴とする請求項１から請求項３のいずれか１項に記載のディスク再生装置。
【請求項５】
前記作動部材は、前記ディスク再生装置の前後方向に沿って移動することを特徴とする請求項１から請求項４のいずれか１項に記載のディスク再生装置。
【請求項６】
前記作動部材には、前記保護モードディスク受け部の他に稼動モードディスク受け部を備えることを特徴とする請求項１から請求項５のいずれか１項に記載のディスク再生装置。
【請求項７】
前記保護モード時において、前記非記録面に対向する位置に配設される前記保護モードディスク受け部は、前記非記録面に接触していることを特徴とする請求項１から請求項６のいずれか１項に記載のディスク再生装置。
【請求項８】
前記ディスクの記録面とこの記録面に対向する前記ディスク再生装置の機構部との間隔を、前記ディスクの面振れ量と稼動モード時に予想される前記ディスクの撓み量との合計とし、
前記保護モードディスク受け部の前記ディスク再生装置の機構部からの高さを、前記保護モード時に予想される前記ディスクの撓み量としたことを特徴とする請求項１から請求項７のいずれか１項に記載のディスク再生装置。
【発明の詳細な説明】
【技術分野】
【０００１】
本発明は、ディスク再生装置に関する。
【背景技術】
【０００２】
ディスク再生装置に装填されるＤＶＤやＣＤ等の記録媒体であるディスクは、ディスクを回転させたときに、ディスク自体の撓み等により、ディスクの面が上下方向（ディスクの面と交差する方向）に振れるいわゆる面振れが発生することがある。また、ディスク再生装置に衝撃や振動が加わると、ディスク再生装置内に装填されているディスクに瞬間的に撓みが生じることがある。
【０００３】
ディスク再生装置には、上述したようなディスクの面振れや撓みが生じた場合であっても、ディスクの記録面に対向して配設されるディスク再生装置の構造部に、記録面が接触して記録面を損傷してしまわないように、図２２に示すようにディスク受け部１５０を設けている（例えば、特許文献１参照）。このディスク受け部１５０は、ディスクの外周縁の非記録部に対向した位置に設けられる。そして、このディスク受け部１５０は、ディスク再生装置の構造部１６０から高さをｈに形成されている。
【０００４】
ディスク受け部１５０とディスクとの間には、クリアランスｄが設けられている。このクリアランスｄは、ディスクが回転しているときに、ディスクが面振れをしても、ディスクがディスク受け部１５０に接触しないように、ディスクの面振れの量と同一かこれより僅かに大きく設定されている。なお、面振れ量は、ディスクについて規格化されていて、０．５ｍｍ以内に収まるべきものとなっている。したがって、クリアランスｄは、０．５ｍｍかそれより僅かに大きな値に設定されている。
【０００５】
また、ディスク受け部１５０の高さｈは、ディスクに最大の面振れが発生している状態のときに、ディスク再生装置に衝撃・振動が加わり、面振れと衝撃・振動による撓みが同時に発生した場合を想定し、このような場合においても、ディスクの記録面が構造部１６０に接触しないクリアランスが確保される高さに設定されている。すなわち、ディスクの面振れ量が最大となり、ディスクがディスク受け部１５０に接触しそうな状態のとき、さらにディスク再生装置に衝撃・振動が加わる場合も想定される。このような場合には、ディスクは、ディスクの非記録部がディスク受け部１５０に支持された状態で、ディスク受け部１５０から内周側のディスクに撓みが生じることになる。したがって、ディスク受け部の高さｈは、ディスクが最大に面振れをした状態で撓むようなことがあっても、ディスクの記録面が構造部１６０に接触しないクリアランスが確保される高さに設定されている。ディスク受け部１５０の具体的な高さｈは、ディスク再生装置に加えられる衝撃・振動に応じて設定されることになる。
【０００６】
ところで、ディスク再生装置には、例えば、車載用ナビゲーション用のディスク再生装置のように、工場から出荷される段階、あるいは工場から出荷された後、一般ユーザの手元に渡る前の流通の過程において、地図情報等が記録されたデータディスクが装填されるものがある。
【０００７】
このような、車載用ナビゲーション用のディスク再生装置においては、実際に車載されて使用されているときの方が、出荷時に梱包されるときや流通過程において荷物として搬送されるときよりも、ディスク再生装置に加わる衝撃・振動は小さい。したがって、ディスク再生装置が車載されて実際に使用されているときの状況だけを考慮し、この状況で想定できる衝撃・振動にディスクの撓み量に対応させることとすれば、ディスク受け部１５０の高さｈを小さくすることができる。
【特許文献１】特開２００４−２５９４０９号（図１、要約書等を参照）
【発明の開示】
【発明が解決しようとする課題】
【０００８】
しかしながら、出荷の段階あるいは流通過程における搬送時に加わる大きな衝撃・振動を考慮すると、かかる大きな衝撃・振動がディスク再生装置加わっても、ディスクの記録面が構造部１６０に接触しないようにする必要がある。このため、ディスク受け部１５０の高さｈを、大きめに設定しておかなければならない。この結果、ディスク再生装置の薄型化を図ることが難しいという問題がある。
【０００９】
そこで、本発明は、ディスクの記録面を有効に保護しつつ、薄型化を実現できるディスク再生装置を提供することを目的とする。
【課題を解決するための手段】
【００１０】
上記課題を解決するために、本発明は、ディスク再生装置を、稼動モード時には、ディスクの面振れ領域の外側に位置し、保護モード時には、ディスクの非記録面とディスク再生装置の機構部との間に位置する保護モードディスク受け部を備える構成としたものである。
【００１１】
また、他の発明は、ディスク再生装置を、稼動モード時に、保護モードディスク受け部が、ディスクの外周の外側に位置する構成としたものである。
【００１２】
また、他の発明は、ディスク再生装置を、保護モードディスク受け部が、ディスクに対して略半径方向の両側に備えられる構成としたものである。
【００１３】
また、他の発明は、ディスク再生装置を、保護モードディスク受け部は、稼動モード時と保護モード時とに対応して変位する作動部材に設けられている構成としたものである。
【００１４】
また、他の発明は、上記の作動部材を、ディスク再生装置の前後方向に沿って移動する構成としたものである。
【００１５】
また、他の発明は、ディスク再生装置を、作動部材に、保護モードディスク受け部の他に稼動モードディスク受け部を備える構成としたものである。
【００１６】
また、他の発明は、ディスク再生装置を、保護モード時において、非記録面に対向する位置に配設される保護モードディスク受け部は、非記録面に接触している構成としたものである。
【００１７】
また、他の発明は、ディスク再生装置を、ディスクの記録面とこの記録面に対向するディスク再生装置の機構部との間隔を、ディスクの面振れ量と稼動モード時に予想されるディスクの撓み量との合計とし、保護モードディスク受け部のディスク再生装置の機構部からの高さを、保護モード時に予想されるディスクの撓み量とする構成としたものである。
【発明の効果】
【００１８】
本発明によれば、ディスクの記録面を有効に保護しつつ、薄型化を実現できるディスク再生装置を提供することができる。
【発明を実施するための最良の形態】
【００１９】
以下、本発明の実施の形態に係るディスク再生装置について、図１から図１７に基づいて説明する。図１は、本発明のディスク再生装置１０の構成を示す分解斜視図である。このディスク再生装置１０は、ＤＶＤ（Ｄｉｇｉｔａｌ  Ｖｅｒｓａｔｉｌｅ  Ｄｉｓｃ）あるいはＣＤ（Ｃｏｍｐａｃｔ  Ｄｉｓｃ）等といったディスクＤ（図９、図１１他参照）を再生するものである。なお、ディスクＤは、ＤＶＤ、ＣＤに限られず、ＣＤ−Ｒ、ＤＶＤ−Ｒ、ＤＶＤ−ＲＷ等の他の記録媒体でも良い。また、ディスク再生装置１０は、再生機能の他に記録機能を有するものとしても良い。
【００２０】
以下の説明では、ディスクＤをディスク再生装置１０に装填したときのディスクＤの記録面の側を下側（下方）とし、ディスクＤの記録面と反対側を上側（上方）とする。また、ディスク再生装置１０の奥側、つまりディスク再生装置１０にディスクＤを装填する際に、ディスクＤを挿入する方向を後側（後方）とし、ディスクＤが挿入される側（ディスク挿入口２５側）を前側（前方）とする。また、前方から後方を見て右手側を右側（右方向）、左手側を左側（左方向）とする。
【００２１】
ディスク再生装置１０は、図１に示すように、アウターシャーシ部材２０、ディスクガイド部材３０、フローティング部材４０、ローラ部材５０、メカ基板６０およびスイッチ基板７０等を有している。
【００２２】
フローティング部材４０は、別部材としてのメインシャーシ４１を備えている。このメインシャーシ４１に、ディスクガイド部材３０、ローラ部材５０、メカ基板６０、およびスイッチ基板７０等の各種の部材が取り付けられる。
【００２３】
また、アウターシャーシ部材２０には、側壁２０ａ，２０ｂが取り付けられる。さらに、アウターシャーシ部材２０の四隅には、ダンパ２１を支持するダンパ支持部２２が、上下方向に立設する状態で設けられている。ダンパ支持部２２には、孔２２ａが設けられていて、アウターシャーシ部材２０の外側から孔２２ａに、ダンパ２１が差し込まれるようになっている。
【００２４】
アウターシャーシ部材２０は、側壁２０ａ，２０ｂ、ダンパ２１及びバネ２３を介してフローティング部材４０を支持している。本実施の形態では、フローティング部材４０の４隅の近傍に、各々１つずつ、計４つのダンパ２１が配設されている。また、ダンパ２１よりも左右方向内側寄りの位置に、計４つのバネ２３が設けられている。ダンパ２１には、差込孔２１ａが設けられていて、この差込孔２１ａにフローティング部材４０の４隅に設けられる支持軸４２が差し込まれる。これにより、フローティング部材４０がアウターシャーシ部材２０に対して支持される。
【００２５】
また、バネ２３は、その一端側がアウターシャーシ部材２０のバネ掛止部２４に掛け止めされると共に、その他端側がディスクガイド部材３０またはフローティング部材４０に存在するバネ掛止部４３に掛け止めされる。それにより、フローティング部材４０は、アウターシャーシ部材２０に対してフローティング状態で支持可能となる。
【００２６】
なお、図示を省略するフローティング状態を切り替える機構によって、アウターシャーシ部材２０に対するフローティング部材４０のフローティング状態、および固定状態を切り替えることができるようになっている。また、アウターシャーシ部材２０に対してフローティング部材４０および必要に応じてケース等の他の部材が取り付けられることにより、ディスクＤを挿入するディスク挿入口２５が形成される。
【００２７】
フローティング部材４０の後方には、ターンテーブル１４０（図９（Ａ）（Ｂ）他参照）に対して、ディスクＤを押圧するクランパ４５とこのクランパ４５を支持するクランパアーム４６が設けられている。クランパアーム４６は、クランパ４５を支持する側に対して後側の端部を支軸として、メインシャーシ４１に対して上下方向に揺動自在に設けられている。クランパアーム４６の右側の側部には板バネ４７が設けられている。この板バネ４７は、ディスクＤをターンテーブル１４０に対して押圧するクランプ時において、クランパアーム４６を下方に向けて付勢し、また押圧を解除するクランプ開放時には、上方へ向けてクランパアーム４６を付勢する。これらクランパアーム４６及び板バネ４７等によりクランパ接離機構が構成されている。
【００２８】
フローティング部材４０には、前側（ディスク挿入口２５側）の上方を覆うように、例えば、ネジ等の固定手段によってディスクガイド部材３０が取り付けられる。ディスクガイド部材３０は、ディスクＤをディスク再生装置１０の内部に挿入する際に、ディスクＤの搬送をガイドする。
【００２９】
フローティング部材４０の前側には、ディスク挿入口２５に対応した位置に、シャッタ部材４４，４４が設けられている。このシャッタ部材４４，４４は、左右方向に一対として設けられていて、ディスクＤを前側からシャッタ装置４４，４４に押し当てると、この押し当ての力により左右方向に開くように構成されている。
【００３０】
フローティング部材４０の前側には、ローラ部材５０が取り付けられている。ローラ部材５０は、ローラアーム５１と、搬送ローラ５２とを具備している。また、ローラアーム５１は、プレート部５３と側方支持部５４とを有している。側方支持部５４は、ローラアーム５１の左右方向（長手方向）の端部に設けられている。搬送ローラ５２は、中心部を左右方向に貫くローラシャフト５２ａを有している。搬送ローラ５２の左右の端面からは、ローラシャフト５２ａが突出し、搬送ローラ支持部５２ｂを構成している。この搬送ローラ支持部５２ｂは、側方支持部５４に対して支持されている。これにより、搬送ローラ５２は、側方支持部５４に対して回転自在に支持されている。
【００３１】
右側の搬送ローラ支持部５２ｂは、側方支持部５４から右側に突出し、この突出した搬送ローラ支持部５２ｂに、図示を省略するローディングモータに、ウォームギア５５および後述する動力伝達機構１２０（図３他参照）を介して接続するギア列５６が設けられている。すなわち、搬送ローラ５２は、ギア列５６等を介してローディングモータ（図示省略）の回転を受けて回転するように構成されている。
【００３２】
ディスクＤを、シャッタ部材４４，４４に押し当て、シャッタ部材４４，４４を左右に開いてディスク挿入口２５からディスク再生装置１０内に挿入すると、この挿入されるディスクＤによりディスクの挿入検出スイッチ７１がオンになる。スイッチ７１がオンになると、ディスクＤのディスク再生装置１０内への挿入が検出される。
【００３３】
ディスクＤの挿入が検出されると、ローディングモータ（図示省略）が回転し、搬送ローラ５２が回転する。この搬送ローラ５２の回転によりディスクＤが後方に搬送される。
【００３４】
フローティング部材４０の後側には、トリガアーム４８が備えられている。このトリガアーム４８は、軸部４８ａにより回転可能に構成されていて、搬送ローラ５２により搬送されてきたディスクＤにより時計回り（右回り）に回転させられる。
【００３５】
メインシャーシ４１の左右の両側部には、メインシャーシ４１の側部に沿って前後方向に移動可能な第１移動部材８０および第２移動部材９０が配設されている。第１移動部材８０と第２移動部材９０とは、前側の端部を連結杆１００により連結されている。連結杆１００は、メインシャーシ４１の前側の上面に突設された支持軸１０１に、この支持軸１０１を中心として前後方向に揺動自在に設けられており、これにより第１移動部材８０および第２移動部材９０は相対的に前後反対方向に移動するようになっている。第１移動部材８０には、図２に示すように、トリガアーム４８の回転に連動して第１移動部材８０に沿って移動する板状のスライド部材１１０が取り付けられている。
【００３６】
スライド部材１１０の後側の端部には、トリガアーム４８の側に突出する突出部１１１が形成されている。また、スライド部材１１０の略中間部には、直方体形状の規制部材１１２が、トリガアーム４８側に突出するように設けられている。この規制部材１１２は、後述するキャリア部材１２５（図３他参照）の移動を規制する役目を果たす。
【００３７】
スライド部材１１０の前側の端部には、第１移動部材８０に形成されるガイド溝８１にガイドされるガイド片１１３が形成されている。また、スライド部材１１０の後方には、第１移動部材８０に設けられるガイド片８２にガイドされるガイド溝１１４が形成されている。したがって、スライド部材１１０は、ガイド片１１３とガイド溝１１４が、第１移動部材８０のガイド溝８１とガイド片８２にガイドされながら、第１移動部材８０に沿って前後方向に移動する。
【００３８】
第１移動部材８０およびスライド部材１１０には、コイルバネ１１５を係止する係止片８３と係止片１１６がそれぞれ設けられている。これら係止片８３，１１６に係止されたコイルバネ１１５により、スライド部材１１０は、第１移動部材８０に対して後方に付勢された状態で保持されている。
【００３９】
また、第１移動部材８０の左側には、後述のキャリア部材１２５（図３他参照）に設けられたピン１２５ａに対し後方から係合するピン係合部８４（図３他参照）が設けられている。さらに、第１移動部材８０の前端には、図７および図８（Ａ）（Ｂ）に示すように、第１移動部材８０の前後方向への移動動作に伴って、搬送ローラ５２を上下方向へ案内する傾斜ガイド８５が形成されている。
【００４０】
トリガアーム４８の右側の端部にはアーム部４８ｂが形成されている。このアーム部４８ｂは、トリガアーム４８が時計周りに回転したときに、スライド部材１１０の突出部１１１に係止し、突出部１１１を前方へ押圧してスライド部材１１０を前方に移動させる。
【００４１】
第１移動部材８０の右側には、ローディングモータ（図示省略）の動力を搬送ローラ５２およびスライド部材１１０に伝達する動力伝達機構１２０が配設されている。搬送ローラ５２のギア列５６は、図３、図４、図５、図６に示すようにウォームギア５５を介して動力伝達機構１２０に接続されている。すなわち、搬送ローラ５２は、動力伝達機構１２０およびウォームギア５５を介してローディングモータ（図示省略）の駆動力が伝達されて回転する。
【００４２】
図１に示すように、メインシャーシ４１の前部上面には、ローディングモータ（図示省略）の動作を停止させる停止スイッチ１３０が配設されている。この停止スイッチ１３０は、連結杆１００に設けられるスイッチ操作部１０２の動きに応じて、オフ動作する。スイッチ操作部１０２は、ディスクＤがディスク再生装置１０への装填が完了した後における第１移動部材８０および第２移動部材９０の移動終了位置において、停止スイッチ１３０を押す（オン）ように構成されている。ローディングモータ（図示省略）は、スイッチ操作部１０２による停止スイッチ１３０のオン操作を受けてその駆動を停止する。
【００４３】
次に、図３、図４、図５、図６を参照しながら、ローディングモータ（図示省略）の出力を受けて動作する動力伝達機構１２０の構成を説明する。なお、図３、図４、図５、図６は、ディスク再生装置１０を下方から見た図となっている。
【００４４】
動力伝達機構１２０は、ローディングモータ（図示省略）の出力軸に接続する太陽歯車１２１、この太陽歯車１２１の小径歯車１２１ａに噛合う遊星歯車１２２、遊星歯車１２２と噛合って、遊星歯車１２２を公転させる弧状の内歯歯車１２３、遊星歯車１２２に噛合い遊星歯車１２２の回転をウォームギア５５に伝達する伝達歯車１２４、および遊星歯車１２２を回転自在に軸支するキャリア部材１２５を備えている。キャリア部材１２５には、ピン１２５ａが設けられている。スライド部材１１０に設けられた規制部材１１２の先端面にピン１２５ａが当接することにより、キャリア部材１２５は、反時計方向への回転が規制される。
【００４５】
ディスクＤが挿入され、ディスクＤがトリガアーム４８を回転させるまでの間は、トリガアーム４８とキャリア部材１２５の回転位置は、図３に示す状態となっている。すなわち、キャリア部材１２５は、トリガアーム４８のアーム部４８ｂは、スライド部材１１０の突出部１１１を押圧していない状態となっている。したがって、スライド部材１１０は、コイルバネ１１５により後方に付勢され、規制部材１１２の先端面がピン１２５ａの左側に位置している。このため、ピン１２５ａは、規制部材１１２に対して規制部材１１２を右方向へ押圧する力を作用させることになり、キャリア部材１２５の反時計方向（ディスク再生装置１０を下方から見たとき）への回転が規制される。この状態においては、遊星歯車１２２は、伝達歯車１２４と噛合しており、内歯歯車１２３には噛合されていない。
【００４６】
したがって、ディスクＤが挿入口２５に差し込まれ、ローディングモータ（図示省略）が駆動すると、その回転が太陽歯車１２１及び遊星歯車１２２に伝達され、さらには、遊星歯車１２２の自転により伝達歯車１２４に伝えられる。そして、伝達歯車１２４により、ウォームギア５５およびギア列５６を介して、搬送ローラ５２が回転する。そして、この搬送ローラ５２の回転により、ディスクＤが後方に搬送されていく。
【００４７】
ディスクＤが搬送ローラ５２により後方に搬送されていき、ディスクＤがトリガアーム４８のディスク当接部４８ｃに当接すると、ディスクＤが搬送されるのに伴いトリガアーム４８が支持軸４８ａを中心として反時計周り（ディスク再生装置１０を下方から見たとき）に回動する。これに従って、トリガアーム４８のアーム部４８ｂも反時計周りに回動する。これにより、図４に示すように、アーム部４８ｂに係止されているスライド部材１１０の突出部１１１が前方に押圧される。そして、スライド部材１１０が、コイルバネ１１５の付勢力に抗して、ガイド溝８１およびガイド片８３にそれぞれガイド片１１３およびガイド溝１１４が案内されて、第１移動部材８０に沿って前方に移動する。これに伴って、スライド部材１１０に設けられた規制部材１１２が前側に移動して、キャリア部材１２５のピン１２５ａに対する規制が解除される。
【００４８】
遊星歯車１２２を保持するキャリア部材１２５に対する規制が解除されると、図５に示すように、キャリア部材１２５の回転が可能になり、反時計周り（ディスク再生装置１０を下方から見たとき）に回転する。そのため、遊星歯車１２２が反時計周り（ディスク再生装置１０を下方から見たとき）に移動し、伝達歯車１２４との噛合いが外れる。これにより、ローディングモータ（図示省略）からの動力が伝達歯車１２４に対して伝達されない状態となり、搬送ローラ５２の回転が停止する。このとき、ディスクＤはターンテーブル１４０上方の所定位置に到達している（図９（Ａ）および（Ｂ）参照）。
【００４９】
遊星歯車１２２は、図６に示すように、内歯歯車１２３に噛合し、太陽歯車１２１の回転に伴って内歯歯車１２３に沿って公転する。遊星歯車１２２の公転に従ってキャリア部材１２５が移動して、キャリア部材１２５のピン１２５ａがスライド部材１１０に設けられた規制部材１１２の後方の側面を押す。このため、スライド部材１１０はさらに前方に向けて移動する。そうすると、コイルバネ１１５の付勢力により、第１移動部材８０は、スライド部材１１０に追従して前方に移動する。このとき、スライド部材１１０の突出部１１１は、アーム部４８ｂの係止から外れる。
【００５０】
なお、第１移動部材８０が移動することにより、図８（Ａ）および（Ｂ）に示すように、板バネ４７が下方に移動し、板バネ４７の付勢力によりクランパアーム４６が下方に押圧され、クランパ４５がディスクＤをターンテーブル１４０（図９（Ａ）および（Ｂ）参照）に対して押圧する構成になっている。また、第１移動部材８０が移動することにより、搬送ローラ５２の搬送ローラ支持部５２ｂは、第１移動部材８０の前側の縁部に形成された傾斜ガイド８５に沿って下方へ移動し、搬送ローラ５２を下方へ移動させてディスクＤの表面から退避する。
【００５１】
第１移動部材８０の移動に伴って、連結杆１００が支持軸１０１を中心として揺動し、第１移動部材８０が移動終了位置まで到達すると、連結杆１００に設けられたスイッチ操作部１０２が停止スイッチ１３０を押下し、ローディングモータ（図示省略）の駆動が停止する。
【００５２】
この状態においては、スライド部材１１０がコイルバネ１１５により後方へ付勢されているため、キャリア部材１２５のピン１２５ａは、スライド部材１１０に設けられた規制部材１１２により後方へ押された状態となっている。しかしながら、ピン１２５ａが後方から第１移動部材８０のピン係止部８４により係止されているため、キャリア部材１２５及び遊星歯車１２２は、その場に留まることになる。また、この状態において、上述したように、ディスクＤは、ターンテーブル１４０に対してクランパ４５により押圧されているので、図示を省略するスピンドルモータによりターンテーブル１４０が回転することでディスクＤも回転している。すなわち、ディスク再生装置１０は、ディスクＤの情報を再生等できる稼動モード状態になっている。
【００５３】
メインシャーシ４１の上面には、図１、図９、図１０、図１１、図１２に示すようにディスク受け部４９が設けられている。このディスク受け部４９は、ディスクＤの記録面の外周方向の外側に在る非記録面に対応する位置に設けられ、ディスクＤの周方向に沿って数箇所、例えば、均等、あるいは不均等の設置間隔で３から１０箇所程度設けられている。ディスクＤが、ターンテーブル１４０にクランパ４５により押圧された状態において、ディスクＤとディスク受け部４９は、図９（Ａ）に示すように、０．５ｍｍの間隔になるようにターンデーブル１４０およびメインシャーシ４１等が構成されている。また、ディスク再生装置１０の機構部であるメインシャーシ４１からのディスク受け部４９の高さは、Ｈ１に設定されている。
【００５４】
ディスクＤとディスク受け部４９との間隔は、ディスクＤに回転時の面振れが発生しても、ディスクＤがディスク受け部４９に接触しない間隔とする。この実施の形態では、ディスクＤの回転時の面振れ量を０.５ｍｍとし、この面振れ量に合わせて、ディスクＤとディスク受け部４９との間隔を、上記のように０.５ｍｍとしている。なお、ディスクＤとディスク受け部４９との間隔は、ディスクＤの種類や性状によっては、これより大きくまたは小さく設定することになる。また、ディスクＤとディスク受け部４９との間隔を、ディスクＤの回転時にける面振れ量より大きく設定するようにしてもよい。
【００５５】
ディスク受け部４９の高さＨ１は、ディスクＤが回転時に面振れが発生し、さらにこれに加えてディスク再生装置１０に衝撃・振動が加わり、ディスクＤが撓んでも、ディスクＤの記録面が、メインシャーシ４１に対して接触しない高さとして設定されている。本実施の形態においては、ディスク受け部４９の高さＨ１は、ディスク再生装置１０が、自動車等に設置されるいわゆる車載用の装置として利用されることを前提として、車載時に想定されるディスク再生装置１０に加わる衝撃・振動を考慮して設定されている。
【００５６】
次に、図１０、図１１、図１２を参照しながら、第２移動部材９０の構成と動作について説明する。支持軸１０１に揺動自在に支持される連結杆１００を介して第１移動部材８０に連結する第２移動部材９０は、第１移動部材８０が移動することにより、第１移動部材８０の移動方向とは相対的に前後反対方向に移動する。すなわち、ディスクＤがディスク再生装置１０内に装填されていないときには、第１移動部材８０は、上述したようにコイルバネ１１５により後方に付勢され、図１０に示すように、最も後方寄りに位置している。これに対し、第２移動部材９０は最も前方寄りに位置している。
【００５７】
そして、ディスクＤがディスク再生装置１０内に装填され、ディスクＤが、クランパ４５によりターンテーブル１４０に対して押圧され、ディスクＤを回転できる状態のとき、すなわち、ディスク再生装置１０が稼動モード状態にあるときは、図１１に示すように、第１移動部材８０は最も前方寄りの位置に移動し、逆に、第２移動部材９０は、最も後方寄りの位置に移動する。
【００５８】
一方、図１２は、ディスク再生装置１０が工場から出荷される段階、あるいは工場から出荷された後、最終ユーザの手元に渡る前の流通の段階といった、一般ユーザがディスク再生装置１０の使用を開始する前の状態にあるときの、第１移動部材８０および第２移動部材９０の移動位置を示している。このディスク再生装置１０は、使用を開始される前の状態において、以下に説明するように、出荷段階等でディスク再生装置１０に衝撃・振動が加わっても、第２移動部材９０に設けられる保護モードディスク受け部９１により、ディスクＤの記録面がメインシャーシ４１に接触して損傷しないように構成されている。このように、第２移動部材９０に設けられる保護モードディスク受け部９１により、ディスクＤの記録面がメインシャーシ４１に接触して損傷しない状態にディスク再生装置１０がなっているときを、保護モード状態と呼ぶこととする。
【００５９】
ディスク再生装置１０が、保護モード状態にあるきは、第１移動部材８０は、図１１に示す稼動モード状態における位置よりやや後方側の位置に配設され、第２移動部材９０は、逆に、やや前方側の位置に配設されている。
【００６０】
保護モードディスク受け部９１は、保護モード状態と稼動モード状態に応じて前後方向に変位する作動部材としての第２移動部材９０の右側の側面、すなわちディスクＤ側の側面に突設されている。この保護モードディスク受け部９１は、ディスク再生装置１０が稼動モード状態にあるときには、ディスクＤの外周縁より外側に位置する位置に設けられている。すなわち、図１１に示すように、保護モードディスク受け部９１は、ディスクＤの外周縁の後方側に外れた位置に配設されている。一方、ディスク再生装置１０が保護モード状態にあるときには、図１２に示すように、保護モードディスク受け部９１は、ディスクＤの外周縁にある非記録部の下側に位置するように配設される。
【００６１】
すなわち、保護モードディスク受け部９１を第２移動部材９０に設ける位置と、第２移動部材９０の稼動モード状態と保護モード状態における移動位置との関係は次ぎのようになっている。稼動モード状態においては、保護モードディスク受け部９１が、ディスクＤの面振れの領域の外側となるディスクでの外周縁より外側に位置するようになっている。また、保護モード状態においては、保護モードディスク受け部９１が、外周縁の内周側にある非記録部の下側に位置するように位置するようになっている。
【００６２】
保護モードディスク受け部９１は、図９（Ｂ）に示すように、その先端部９１ａがディスクＤの外周縁の内周側に形成される非記録部の下側に位置する。そして、ディスク受け部４９のメインシャーシ４１から先端部９１ａの上縁部までの高さはＨ２に設定されている。
【００６３】
この高さＨ２は、出荷時の梱包や流通過程において荷物として搬送されるときに、ディスク再生装置に加わる衝撃・振動によって、ディスクＤが撓んでも、記録面が、メインシャーシ４１に接触しない高さに設定されている。図９（Ｂ）に示すように、本実施の形態では、先端部９１ａの高さＨ２は、メインシャーシ４１とディスクＤとの間隔である０．５ｍｍ＋Ｈ１となっている。したがって、保護モード状態において、保護モードディスク受け部９１の先端部９１ａは、ディスクＤの下面に丁度入り込むことになる。そのため、ディスク再生装置１０が保護モード状態にあるときは、梱包時や流通過程において、ディスク再生装置１０に強い衝撃・振動が加わりディスクＤが撓んでも、保護モードディスク受け部９１により、ディスクＤの記録面とメインシャーシ４１との間にクリアランスが確保され、記録面がメインシャーシ４１に接触し、記録面が損傷してしまう事故を防ぐことができる。
【００６４】
一方、稼動モード状態においては、保護モードディスク受け部９１は、ディスクＤの面振れの領域の外側に配設されているため、ディスクＤが面振れをしたとしても、ディスクＤが保護モードディスク受け部９１に接触してしまうことはない。
【００６５】
上述したように、ディスクの記録面とこの記録面に対向するディスク再生装置の機構部との間隔は、ディスクの面振れ量０.５ｍｍと稼動モード時に予想されるディスクの撓み量Ｈ１との合計としている。また、保護モードディスク受け部９１の先端部９１ａのディスク再生装置の機構部からの高さを、保護モード時に予想されるディスクの撓み量に対応させてＨ２とする構成としたものである。
【００６６】
この構成は、稼動モード時に予想されるディスクＤの撓み量を、保護モード時のディスクＤの撓み量よりも小さいと予想し、ディスクＤの記録面とメインシャーシ４１との間の間隔を、ディスクの面振れ量０.５ｍｍと稼動モード時に予想されるディスクの撓み量Ｈ１との合計としている。これにより、ディスクの記録面とディスク再生装置の機構部との間のクリアランス間隔を狭くでき、ひいては、ディスク再生装置の厚さを薄くすることができる。一方、保護モード時においては、保護モード時に予想されるディスクＤの撓み量に合わせた高さの保護モードディスク受け部９１の先端部９１ａが、ディスクＤの記録面とメインシャーシ４１との間に配設される。そのため、保護モード時にディスク再生装置１０に衝撃や振動が加わりディスクＤが撓んでしまうことがあっても、ディスクＤの記録面がメインシャーシ４１に接触して損傷してしまうことがない。
【００６７】
なお、先端部９１ａの高さＨ２を、上述したように０．５ｍｍ＋Ｈ１に設定すると、保護モード状態において、ディスクＤは、保護モードディスク受け部９１に接触しているか、あるいは先端部９１ａの加工精度等によっては接触しそうな状態となる。一方、保護モードディスク受け部９１とディスクＤとに間隔を設けた場合には、ディスク再生装置１０に衝撃・振動が加わった際に、ディスクＤが保護モードディスク受け部９１に受け止められるまでに、保護モードディスク受け部９１の方向に向かって動くことになる。そして、ディスクＤが保護モードディスク受け部９１に衝突して、保護モードディスク受け部９１に受け止められることになる。したがって、その衝突の振動が、例えばスピンドルモータ（図示省略）や第２移動部材９０等に悪影響を及ぼす虞がある。しかしながら、ディスクＤが保護モードディスク受け部９１に接触している状態もしくは接触しそうな程度に接近させることにより、ディスク再生装置１０に衝撃・振動が加わった際に、ディスクＤが保護モードディスク受け部９１に衝突するということがなくなる。そのため、スピンドルモータ（図示省略）や第２移動部材９０等に悪影響を及ぼす虞を解消することができる。
【００６８】
なお、先端部９１ａの高さＨ２は、保護モード状態において、衝撃・振動を受けて撓んだディスクＤの記録面がメインシャーシ４１に接触しなければ、先端部９１ａがディスクＤに接触する高さよりも低い高さに設定してもよい。
【００６９】
ところで、保護モードディスク受け部９１は、上述したように稼動モード時と保護モード時とに対応して変位する第２移動部材９０に設けられている。このため、保護モードディスク受け部９１をディスクＤに対して進退させる機構を独立して設けるのに比べて部品点数の削減を図ることができる。
【００７０】
また、メインシャーシ４１は上方から見た形状において略矩形を呈し、他方、ディスクＤは円形を呈している。したがって、ディスクＤの左右の前後側には、メインシャーシ４１の左右方向の縁部との間に空間が形成されている。第２移動部材９０はディスク再生装置１０の前後方向に沿って移動する構成であり、稼動モード状態において、保護モードディスク受け部９１は、上記の空間に位置することになる。このため、ディスク再生装置１０の大型化を招くことなく保護モードディスク受け部９１の移動スペースを確保することができる。これに対し、例えば、保護モードディスク受け部９１をディスク再生装置１０に対して左右方向に変位させた場合には、ディスク再生装置１０の左右方向の大型化を招くことになってしまう。
【００７１】
図１３（Ａ）、（Ｂ）および（Ｃ）に、保護モードディスク受け部９１部分を拡大した図を示す。図１３（Ａ）は、保護モードディスク受け部９１を右側から見た構成を表わしている。また、図１３（Ｂ）は、保護モードディスク受け部９１を上方から見た構成を表わしている。そして、図１３（Ｃ）は、保護モードディスク受け部９１を後方から見た構成を表わしている。保護モードディスク受け部９１の上面９１ａは、左方から右方に向かって下側に傾斜する傾斜面に構成されている。また、前方側の上側の縁部９１ｂは、下側に傾斜する傾斜面に構成されている。上面９１ａが傾斜面に構成されることにより、保護モード状態において、ディスクＤの外周縁に引っかかることなく、ディスクＤの下側に入り込むことができる。また、縁部９１ｂが傾斜面に構成されることにより、稼動モード状態（図１１の状態）から保護モード状態（図１２の状態）に、第２保持部材９０が移動する際に、ディスク受け部９１の前側の縁部９１ｂがディスクＤの外周縁に引っかかることを防止することができる。さらに、ディスク挿入口２５から挿入されたディスクＤが、後方に向けて搬送される際にも、ディスクＤの外周縁が保護モードディスク受け部９１の縁部９１ｂに引っかかることを防止することができる。
【００７２】
本実施の形態においては、上述したように、ディスク受け部４９の高さＨ１を、車載時に想定される衝撃・振動を考慮して設定している。したがって、梱包時や流通過程においてディスク再生装置１０に加わる大きな衝撃・振動を考慮した高さにするのに比べて、ディスク受け部４９の高さＨ１を小さくすることができる。そのため、ディスク再生装置１０の上下方向の厚さを薄くすることができる。一方、梱包時や流通過程におけるディスク再生装置１０に加わる大きな衝撃・振動を考慮して、ディスク受け部４９の高さＨ１を高く設定した場合には、メインシャーシ４１とディスクＤとの間の間隔が、この高く設定されたＨ１にディスクＤの面振れ量である０．５ｍｍを加算した間隔となり、ディスク再生装置１０の厚さが厚くなってしまう。
【００７３】
次に、第２移動部材９０の移動位置を制御する構成について説明する。停止スイッチ１３０は、釦１３１（図１０他参照）を有していて、この釦１３１が押下されることによりオン状態となり、非押下のときオフ状態となるように構成されている。そして、この停止スイッチ１３０は、連結杆１００に設けられるスイッチ操作部１０２により、釦１３１の押下、非押下が選択される。
【００７４】
スイッチ操作部１０２は、図１４に示すように、第１スイッチ押下部１０２ａ、第２スイッチ押下部１０２ｂ、および第１スイッチ押下部１０２ａと第２スイッチ押下部１０２ｂの間に形成されるスイッチ非押下部１０２ｃを有している。ディスクＤがディスク再生装置１０に挿入（装填）されていない状態（イジェクト状態）から、ディスクＤがディスク再生装置１０に挿入され、搬送ローラ５２により後方に向けて搬送される状態にある間は、スイッチ操作部１０２は、図１０に示すように、釦１３１の後方に位置し、釦１３１は、非押下の状態となっている。この状態においては、ディスク挿入口２５からディスク再生装置１０内に挿入されたディスクＤが、ディスクＤの挿入を検出するディスク挿入検出スイッチ７１をオンすることにより、ローディングモータ（図示省略）が駆動され搬送ローラ５２が回転する。
【００７５】
そして、搬送ローラ５２により後方に搬送されたディスクＤは、トリガアーム４８を回動させることを契機にして、上述したようにターンテーブル１４０に対してクランパ４５により押下される。第１移動部材８０は、ディスクＤがターンテーブル１４０に対してクランパ４５により押下された状態となった後も、動力伝達機構１２０介してローディングモータ（図示省略）の駆動力を受けて前方に移動するスライド部材１１０とともに前方へ移動する。そして、第１移動部材８０が前方に移動することにより、連結杆１００が支持軸１０１を中心として時計周りに回転する。
【００７６】
時計周りに回転した連結杆１００に設けられたスイッチ操作部１０２は、図１１に示すように、停止スイッチ１３０の釦１３１が第２スイッチ押下部１０２ｂにより押下されたときに、ローディングモータ（図示省略）の駆動が停止する。この状態において、第２移動部材９０に設けられた保護モードディスク受け部９１は、ディスクＤの外周縁の外側に位置するようになっている。
【００７７】
ところで、本実施の形態においては、ディスクＤを装填した状態で、ディスク再生装置１０を図１２に示す保護モード状態とする。すなわち、第２スイッチ押下部１０２ｂが釦１３１を押下している図１１に示す状態から、第１スイッチ押下部１０２ａが、釦１３１を押下する図１２に示す状態になるまで、ローディングモータ（図示省略）を逆回転させる。そして、この状態は保護モード状態であり、ディスクＤの下側に第２移動部材９０の保護モードディスク受け部９１が位置する。したがって、この状態においては、出荷時の梱包作業や流通過程において、ディスク再生装置１０に衝撃・振動が加わり、ディスクＤが撓んでも、ディスクＤの記録面が、メインシャーシ４１に接触してしまうことがない。
【００７８】
なお、第１移動部材８０を作動部材としてこの第１移動部材８０の側にも、図１０、図１１、図１２中に点線で表わすように、保護モードディスク受け部９１に相当する保護モードディスク受け部８６を設けるようにしてもよい。このようにディスクＤの左右方向の両側に、保護モードディスク受け部８６，９１を備えることにより、ディスクＤの両側において、ディスクＤの記録面がディスク再生装置１０の機構部に接触するのを防ぐことができる。
【００７９】
図１５および図１６に、それぞれディスク再生装置１０のモード設定の工程をフローチャートとして示す。
【００８０】
先ず、ディスク再生装置１０が工場等において製造される（ステップＳ１）。次に、作業者（製造者）が、ディスクＤをディスク挿入口２５からディスク装置１０内に挿入すると（ステップＳ２）、ディスクの挿入検出スイッチ７１がオンとなり、ローディングモータ（図示省略）が駆動される。そして、このローディングモータ（図示省略）の駆動により、第１移動部材８０が前方に移動し、連結杆１００が時計方向に回転する（ステップＳ３）。
【００８１】
連結杆１００の回転により、スイッチ操作部１０２は、第１スイッチ押下部１０２ａ、スイッチ非押下部１０２ｃそして第２スイッチ押下部１０２ｂの順で、釦１３１を通過する。したがって、最初に第１スイッチ押下部１０２ａが釦１３１を押し、停止スイッチ１３０はオン状態になる（ステップＳ４）。次いで、スイッチ非押下部１０２ｃが釦１３１に対向したときには、釦１３１は非押下の状態となり停止スイッチ１３０はオフ状態となる（ステップＳ５）。そして、第２スイッチ押下部１０２ｂが再び釦１３１を押し、停止スイッチ１３０はオン状態になる（ステップＳ６）。ディスクＤがディスク再生装置１０に挿入されるとき（ステップＳ２）から、第２スイッチ押下部１０２ｂが釦１３１を押下し停止スイッチ１３０がオン状態になる（ステップＳ６）までの、停止スイッチ１３０のオン・オフ状態は、図１７（Ａ）の矢印ライン（Ａ）に示すように、オフ→オン→オフ→オンとなる。
【００８２】
したがって、ディスクＤをディスク再生装置１０に挿入したときから２回、停止スイッチ１３０がオン状態となったときには、ディスク再生装置１０は稼動モード状態にあると判断する（ステップＳ７）。この状態において、スピンドルモータ（図示省略）は回転し、ディスクＤも回転している。
【００８３】
次いで、作業者（製造者）が、ディスク再生装置１０に設けられる図示を省略する保護モード状態設定スイッチを押下する（ステップＳ８）。なお、保護モード状態設定スイッチ（図示省略）は、ディスク再生装置１０の底部あるいは背面等の、一般ユーザが容易に触れることができない場所に配設されている。
【００８４】
この保護モード状態設定スイッチ（図示省略）の押下を受けて、ディスク再生装置１０の図示を省略するホストマイコンは、スピンドルモータ（図示省略）の停止制御を行う（ステップＳ９）。そして、スピンドルモータ（図示省略）を完全に停止させる（ステップＳ１０）。
【００８５】
スピンドルモータ（図示省略）を完全に停止した後、ローディングモータ（図示省略）を、ディスクＤの挿入時とは逆の方向に回転させ、第１移動部材８０を後方に移動し、連結杆１００を反時計方向に回転する（ステップＳ１１）。連結杆１００を反時計方向に回転すると、第２スイッチ押下部１０２ｂが釦１３１から外れ、スイッチ非押下部１０２ｃと釦１３１が対向し、停止スイッチ１３０はオフ状態になる。そして、さらに、第１移動部材８０が後方に移動すると、第１スイッチ押下部１０２ａが釦１３１に対向し、釦１３１を押下し、停止スイッチ１３０はオン状態になる（ステップＳ１２）。このように、稼動モード状態から、停止スイッチ１３０が、一旦オフ状態となった後、オン状態になった場合には、ディスク再生装置１０は、第２移動部材９０が図１２に示す位置にあり、保護モードディスク受け部９１がディスクＤの非記録面の下側に位置する、保護モード状態になっていると判断する（ステップＳ１３）。
【００８６】
稼動モード状態（ステップＳ７）から、保護モード状態（ステップＳ１３）になるまでの、停止スイッチ１３０のオン・オフ状態は、図１７（Ａ）の矢印ライン（Ｂ）に示すように、オン→オフ→オンとなる。
【００８７】
ディスク再生装置１０は、保護モード状態になっていると判断（ステップＳ１３）された状態で梱包が行われ、その後出荷され、流通過程を経て一般ユーザに届けられる。
【００８８】
次に、図１６に基づいて、一般ユーザにおいて、ディスク再生装置１０が車等に設置された後の工程について説明する。ディスク再生装置１０の電源が投入されると（ステップＳ１４）、ホストマイコン（図示省略）は、リード指令を出す（ステップＳ１５）。その結果、ローディングモータ（図示省略）は、ディスクＤの挿入時の回転方向に回転し、第１移動部材８０が前方に移動し、連結杆１００は時計方向に回転する（ステップＳ１６）。
【００８９】
連結杆１００が時計方向に回転すると、第１スイッチ押下部１０２ａが釦１３１から外れ、スイッチ非押下部１０２ｃと釦１３１が対向し、停止スイッチ１３０はオフ状態になる。さらに、第１移動部材８０が前方に移動し、連結杆１００もさらに時計方向に回転すると、第２スイッチ押下部１０２ｂが釦１３１に対向し、釦１３１を押下し、停止スイッチ１３０はオン状態になる（ステップＳ１７）。このように、保護モード状態から、停止スイッチ１３０が、一旦オフ状態となった後、オン状態になった場合には、ディスク再生装置１０は、第２移動部材９０が図１１の位置にあり、保護モードディスク受け部９１がディスクＤの外周縁の外側に位置する、稼動モード状態になっていると判断する（ステップＳ１８）。保護モード状態（ステップＳ１３）から、稼動モード状態（ステップＳ１８）になるまでの、停止スイッチ１３０のオン・オフ状態は、図１７（Ａ）の矢印ライン（Ｃ）に示すように、オン→オフ→オンとなる。
【００９０】
稼動モード状態（ステップＳ１８）になった後、スピンドルモータ（図示省略）が回転し（ステップＳ１９）、ディスクＤからのデータの読み込みが開始される（ステップＳ２０）。
【００９１】
なお、上記の実施の形態においては、稼動モード状態において、保護モードディスク受け部９１は、ディスクＤの外周縁の後方側に外れた位置となるように第２移動部材９０に設けられている。これに対し、稼動モード状態において、保護モードディスク受け部９１が、ディスクＤの外周縁の前方側に外れた位置となるように第２移動部材９０に設けた場合には、第１スイッチ押下部１０２ａが釦１３１を押下している状態が稼動モード状態となり、第２スイッチ押下部１０２ｂが釦１３１を押下している状態が保護モード状態となる。
【００９２】
すなわち、停止スイッチ１３０のオン・オフ状態は、図１７（Ｂ）に示すようになる。図１７（Ｂ）の矢印ライン（Ａ）に示すように、ディスクＤがディスク再生装置１０に挿入される状態において、停止スイッチ１３０がオフ状態であり、第２スイッチ押下部１０２ａが釦１３１を押下し停止スイッチ１３０がオン状態となる。最初に停止スイッチ１３０がオン状態となったときに、ディスク再生装置１０は稼動モード状態にあると判断する。
【００９３】
そして、連結杆１００がさらに時計方向に回転すると、スイッチ非押下部１０２ｃが釦１３１に対向し、そして第２スイッチ押下部１０２ｂが釦１３１に対向し、釦１３１を押下する。すなわち、停止スイッチ１３０は、矢印ライン（Ｂ）に示すように、オン状態からオフ状態となり、再びオン状態となる。したがって、稼動モード状態から、停止スイッチ１３０が、一旦オフ状態となった後オン状態になった場合には、保護モードディスク受け部９１が、ディスクＤの外周内に位置し、ディスク再生装置１０は、保護モード状態にあると判断する。
【００９４】
そして、連結杆１００を反時計方向に回転すると、スイッチ非押下部１０２ｃが釦１３１に対向し、そして第１スイッチ押下部１０２ａが釦１３１に対向し、釦１３１を押下する。すなわち、停止スイッチ１３０は、矢印ライン（Ｃ）に示すように、オン状態からオフ状態となり、再びオン状態となる。したがって、保護モード状態から、停止スイッチ１３０が、一旦オフ状態となった後オン状態になった場合には、保護モードディスク受け部９１が、ディスクＤの外周外に位置し、ディスク再生装置１０は、稼動モード状態にあると判断する。
【００９５】
また、上記の実施の形態においては、１つの停止スイッチ１３０を第１スイッチ押下部１０２ａ、第２スイッチ押下部１０２ｂおよびスイッチ非押下部１０２ｃにより、オン・オフ制御することにより、ディスク再生装置１０のモード状態を検出している。これに対し、２つのスイッチを設け、各スイッチにより稼動モード状態と保護モード状態をそれぞれ検出する構成としてもよい。
【００９６】
図１８から図２１に示すように、第２移動部材９０の保護モードディスク受け部９１が設けられる前方側に、稼動モード状態において、ディスクＤの非記録面の下側に位置する稼動モードディスク受け部９２を設けてもよい。メインシャーシ４１側に設けられるディスク受け部４９は、第２移動部材９０が前後方向に移動する範囲については、第２移動部材９０に干渉するため設けることができない。そこで、上記のように稼動モードディスク受け部９２を設けることにより、稼動モード状態におけるディスクＤの保護を確実なもとすることができる。なお、稼動モードディスク受け部９２の高さは、ディスク受け部４９と同じにする。なお、図１８から図２１については、稼動モードディスク受け部９２を除き、図１０から図１３を参照しながら説明した実施の形態と同様の構成である。そのため、同様の構成部分について、同一の符号を付し、その説明を省略する。
【００９７】
保護モードディスク受け部９１（８６）は、第２保持部材９０（第１保持部材８０）に設ける構成に限られない。例えば、ディスクＤの外周の外側に、水平面内で揺動する揺動部材を配置し、この揺動部材の一端に保護モードディスク受け部９１（８６）に相当する保護モードディスク受け部を設ける。そして、この揺動部材を、ピックアップのディスクＤの半径方向への移動により揺動させ、保護モード状態においては、保護モードディスク受け部がディスクＤの下側に配設され、稼動モード状態においては、ディスクＤの外周の外側に退避する構成としてもよい。
【００９８】
なお、保護モードディスク受け部９１（８６）は、ディスクＤの記録面側の外周縁の非記録部に対して、稼動モード状態と保護モード状態に対応して上下する構成としてもよい。すなわち、稼動モード状態においては、保護モードディスク受け部９１（８６）は、ディスクＤの下側の面振れ量よりも遠くに離れた位置に退避する。これにより、ディスクＤが回転時に面振れを発生しても、ディスクＤの記録面が保護モードディスク受け部９１（８６）に接触してしまうことがない。一方、保護モード状態においては、保護モードディスク受け部９１（８６）をディスクＤの非記録面とメインシャーシ４１との間に位置させることで、ディスク再生装置１０に衝撃や振動が加わりディスクＤが撓んでしまうことがあっても、ディスクＤの記録面とメインシャーシ４１との間にクリアランスが確保されるため、ディスクＤの記録面が損傷してしまうことを防止することができる。
【図面の簡単な説明】
【００９９】
【図１】本発明の第１の実施の形態に係るディスク再生装置の構成を示す分解斜視図である。
【図２】図１のディスク再生装置におけるトリガアーム、第１移動部材およびスライド部材の構成を示す分解斜視図である。
【図３】図１のディスク再生装置における動力伝達機構の動作を示す図である。
【図４】図１のディスク再生装置における動力伝達機構の動作を示す図である。
【図５】図１のディスク再生装置における動力伝達機構の動作を示す図である。
【図６】図１のディスク再生装置における係る動力伝達機構の動作を示す図である。
【図７】図１のディスク再生装置における第１移動部材の傾斜ガイドと搬送ローラ支持部との関係を示す分解斜視図である。
【図８】図１のディスク再生装置における第１移動部材の前後方向への移動動作による搬送ローラと傾斜ガイドとの動作の様子を示す図である。
【図９】図１のディスク再生装置におけるディスク、メインシャーシ、ディスク受け部および保護モードディスク受け部との相互の配設関係を示す図である。
【図１０】図１のディスク再生装置における第１移動部材、第２移動部材および連結杆の動作を示す図である。
【図１１】図１のディスク再生装置における第１移動部材、第２移動部材および連結杆の動作を示す図である。
【図１２】図１のディスク再生装置における第１移動部材、第２移動部材および連結杆の動作を示す図である。
【図１３】図１のディスク再生装置における保護モードディスク受け部の構造を示す部分拡大図である。（Ａ）は保護モードディスク受け部の構造を示す右側面図である。（Ｂ）は保護モードディスク受け部の構造を上方から見た平面図である。（Ｃ）は保護モードディスク受け部の構造を後方から見た背面図である。
【図１４】図１のディスク再生装置におけるスイッチ操作部の構造を示す部分拡大図である。
【図１５】図１のディスク再生装置におけるイジェクト状態から稼動モードそして保護モードへ設定を行う作業工程を示すフローチャートである。
【図１６】図１のディスク再生装置における保護モードから稼動モードへの設定を行う作業工程を示すフローチャートである。
【図１７】図１のディスク再生装置における停止スイッチのオン・オフ状態と保護モード、稼動モードの切り替えの状態を示すタイミングチャートである。
【図１８】第２移動部材に稼動モードディスク受け部を設けたときの第１移動部材、第２移動部材および連結杆の動作を示す図である。
【図１９】第２移動部材に稼動モードディスク受け部を設けたときの第１移動部材、第２移動部材および連結杆の動作を示す図である。
【図２０】第２移動部材に稼動モードディスク受け部を設けたときの第１移動部材、第２移動部材および連結杆の動作を示す図である。
【図２１】図１８から図２０における保護モードディスク受け部および稼動モードディスク受け部の構造を示す部分拡大図である。（Ａ）は当該構造部を示す右側面図である。（Ｂ）は当該構造部を上方から見た平面図である。（Ｃ）は当該構造部を後方から見た背面図である。
【図２２】従来技術の構成を示す図である。
【符号の説明】
【０１００】
Ｄ  …  ディスク
１０  …  ディスク再生装置
４１  …  メインシャーシ（機構部）
８０  …  第１移動部材（作動部材）
８６  …  保護モードディスク受け部
９０  …  第２移動部材（作動部材）
９１  …  保護モードディスク受け部
９２  …  稼動モードディスク受け部
【図１】
2007250152.tif 000003
【図２】
2007250152.tif 000004
【図３】
2007250152.tif 000005
【図４】
2007250152.tif 000006
【図５】
2007250152.tif 000007
【図６】
2007250152.tif 000008
【図７】
2007250152.tif 000009
【図８】
2007250152.tif 000010
【図９】
2007250152.tif 000011
【図１０】
2007250152.tif 000012
【図１１】
2007250152.tif 000013
【図１２】
2007250152.tif 000014
【図１３】
2007250152.tif 000015
【図１４】
2007250152.tif 000016
【図１５】
2007250152.tif 000017
【図１６】
2007250152.tif 000018
【図１７】
2007250152.tif 000019
【図１８】
2007250152.tif 000020
【図１９】
2007250152.tif 000021
【図２０】
2007250152.tif 000022
【図２１】
2007250152.tif 000023
【図２２】
2007250152.tif 000024